(57)【特許請求の範囲】
【請求項１】
ドアパネル２とドア枠３とをヒンジ３０にて枢結し、ドアパネル２の戸当たり部１８側のヒンジ３０とヒンジ３０の間に指詰め防止用凹部１２を設ける構成において、
ドアパネル２の戸当たり部１８側の内板４０には、ヒンジ部３０を避けた位置に切り込みを入れて内側に折り曲げた折り曲げ部４０ａを形成し、該折り曲げ部４０ａにより指詰め防止用凹部１２・１２を形成し、
該折り曲げ部４０ａの内側に断面視コ字状に形成した内フレーム２１を、開口部３９を戸当たり部１８と逆の側に向けて配置し、該内フレーム２１に内板４０と外板２０を固定し、
前記指詰め防止用凹部１２の長さに合わせて断面視コ字状に構成した外フレーム２２を設け、該外フレーム２２は、内フレーム２１と外板２０の開口部２０ａの間に、指詰め防止用凹部１２の方向に開口部を向けて嵌合固定したことを特徴とする指詰め防止機構付きドア。
【請求項２】
請求項１記載の指詰め防止機構付きドアにおいて、前記指詰め防止用凹部１２部に、容易に変形可能な軟質弾性体２７を付設し、該軟質弾性体２７は、前記外フレーム２２の開放側から挿入する支持部２７ａと、指詰め防止用凹部１２を埋めるクッション部２７ｂとにより構成したことを特徴とする指詰め防止機構付きドア。
【発明の詳細な説明】
【０００１】
【発明の属する技術分野】
本発明は、住宅用ドアの開閉部における指詰め防止機構に関する。
【０００２】
【従来の技術】
従来より、玄関ドア等では、ドアパネルを自動的に閉じる機能と閉じる速さを調整する機能をあわせ持ったドアクローザをドアパネルの上部に取り付け、閉じ始めを速くし完全に閉まる前からはゆっくりと閉まるようにしている。
このようにドアクローザを設けると、自動的に閉じてしまうために、ヒンジ部分に指をおくと、指が挟まれて怪我を負うことがある。そこで、ヒンジの部分に生じる空間を閉じるように蛇腹を設けたり、ヒンジ部分に指が入る空間を形成する技術が公知となっている。
【０００３】
【発明が解決しようとする課題】
しかしながら、前者のヒンジの部分に蛇腹を設ける技術は、開く空間が小さい場合には有効であるが、空間が大きくなると蛇腹の幅も広くなり閉じるときに蛇腹を挟んでしまい閉じられない場合がある。また、張り付ける方式であるために、耐久性に問題があった。
【０００４】
また、指が入る空間を形成する技術の場合、ドア枠全体やヒンジ等を新しく設計する必要があり、コストアップとなるばかりでなく、ドアと支柱の間の空間を閉じて風雨等の浸入を防ぐための部材が必要となり、入口の幅も狭くなるという問題があった。
本発明は、前記の点に鑑み、汎用性、耐久性が高く、しかも、指詰め防止機構の取付位置を特定位置については省略して設計変更に伴うコストアップを最小限に抑えることもでき、しかも、従来型ドア枠への取付もでき交換も容易であって、使い勝手も従来と変わらない、指詰め防止に効果的な機構を有するドアを提供することを目的とする。
【０００５】
【課題を解決するための手段】
本発明は、以上のような課題を解決するために、次のような手段を用いる。
請求項１においては、ドアパネル２とドア枠３とをヒンジ３０にて枢結し、ドアパネル２の戸当たり部１８側のヒンジ３０とヒンジ３０の間に指詰め防止用凹部１２を設ける構成において、ドアパネル２の戸当たり部１８側の内板４０には、ヒンジ部３０を避けた位置に切り込みを入れて内側に折り曲げた折り曲げ部４０ａを形成し、該折り曲げ部４０ａにより指詰め防止用凹部１２・１２を形成し、該折り曲げ部４０ａの内側に断面視コ字状に形成した内フレーム２１を、開口部３９を戸当たり部１８と逆の側に向けて配置し、該内フレーム２１に内板４０と外板２０を固定し、前記指詰め防止用凹部１２の長さに合わせて断面視コ字状に構成した外フレーム２２を設け、該外フレーム２２は、内フレーム２１と外板２０の開口部２０ａの間に、指詰め防止用凹部１２の方向に開口部を向けて嵌合固定したものである。
【０００６】
請求項２においては、請求項１記載の指詰め防止機構付きドアにおいて、前記指詰め防止用凹部１２部に、容易に変形可能な軟質弾性体２７を付設し、該軟質弾性体２７は、前記外フレーム２２の開放側から挿入する支持部２７ａと、指詰め防止用凹部１２を埋めるクッション部２７ｂとにより構成したものである。
【０００７】
【発明の実施の形態】
本発明の実施例を、添付の図面を基に詳述する。
図１はドアの外側正面図、
図２はドアの内側斜視図である。
【０００８】
図３は図１のＡ−Ａ断面図、
図４は図１のＢ−Ｂ断面図、
図５は通常ヒンジタイプでの指詰め防止空間形成状況を示す内側斜視図である。
【０００９】
図６はヒンジ支持部の他の実施例を用いたドアの内側斜視図、
図７は同じくヒンジ支持体の斜視図、図８は同じくヒンジ取付部の断面図である。
【００１０】
まず、ドアの全体構成について、図１乃至図３により説明する。
玄関壁４１の開口部にはドア枠３が嵌設固定され、該ドア枠３の内周部の正面視右側には、上ヒンジ部６、中央ヒンジ部７、下ヒンジ部８の三箇所のヒンジ部が固設され、該三箇所のヒンジ部を介してドアパネル２は手前に開閉可能に軸支されている。前記ドアパネル２の略中央部には、玄関ドアガラス４が嵌め殺し状に嵌入され、該玄関ドアガラス４を通して玄関内に外光を取り込むようにしている。
また、ドアパネル２の正面視左側にはドアを開閉するために把持する室外ハンドル部５が設けられ、該室外ハンドル部５の裏面位置には室内ハンドル部１１が設けられており、これらのハンドル部５、１１を把持して前後に押動することによって、ドアパネル２とドア枠３の間の係合を解除して、前記三個のヒンジ部６乃至８を中心に回動させて、ドアを開閉できる構成としている。
【００１１】
さらに、前記ドアパネル２の上部には、ドアクローザ１０の本体１０ａが固設され、該本体１０ａからはアーム１０ｂが延出し、該アーム１０ｂの一端は前記玄関壁４１の室内側に固設され、このドアクローザ１０により、ドア１が自動的に閉じ、その際の閉じる速度も調節できるようにしている。また、上ヒンジ部６と中央ヒンジ部７の間の戸当たり部１８でドアパネル２側には、本発明の指詰め防止用凹部１２が設けられ、中央ヒンジ部７と下ヒンジ部８の間の戸当たり部１８でドアパネル２側にも、同様に、指詰め防止用凹部１２が設けられている。
前記ドアパネル２は内フレーム２１を四角形状に枠組固定して、その室外側に外板２０を貼り付け、室内側に内板４０を貼り付け、該外板２０と内板４０の間にロールコア２６・２６・・・が収納固定されて、補強されている。
【００１２】
次に、本発明の指詰め防止機構について、図３、図５により説明する。
戸当たり部１８側の内板４０には、上ヒンジ部６と中央ヒンジ部７と下ヒンジ部８を避けた位置に切り込みを入れて内側に折り曲げて折り曲げ部４０ａ・４０ａを形成して、指詰め防止用凹部１２・１２を形成している。該折り曲げ部４０ａ・４０a の内側に断面視コ字状に形成した内フレーム２１が開口部３９を、戸当たり部１８と逆の側に向けて配置され、内板４０と外板２０を固定している。そして、前記指詰め防止用凹部１２・１２の長さに合わせて断面視コ字状に構成した外フレーム２２が内フレーム２１と外板２０の折り曲げ部の間に嵌合固定されている。
【００１３】
このように構成することによって、外板２０は従来のまま使用することができ、また、内板４０も戸当たり部１８の指詰め防止用凹部１２・１２部分のみ板金加工するだけでよく、内フレーム２１も上下の幅を狭くするだけでよく設計変更は最小限で済み、コストアップはわずかで済むのである。
【００１４】
そして、前記外フレーム２２の開口部には、指詰め防止用凹部１２を構成する軟質弾性体２７が嵌合固定される。つまり、軟質弾性体２７は、ゴムや合成樹脂等の軟質弾性体で構成され、前記外フレーム２２の開放側から挿入する支持部２７ａと指詰め防止用凹部１２を埋めるクッション部２７ｂからなり、該クッション部２７ｂは、内板４０の折り曲げ部４０ａを介在させた状態にて、前記内フレーム２１に取付ボルト２４で締結されている。
【００１５】
このクッション部２７ｂは、外板２０を折り曲げて形成した開口部２０ａより一部が露出し、この露出したクッション部２７ｂの角は、ドアが閉まった状態では、エアタイト部材１９に当接した状態となっている。該エアタイト部材１９は、ドア１の気密性等を保持するためにドア枠３の内周全長に渡って固設されたゴムなどの弾性体が多用されている。
【００１６】
なお、前記エアタイト部材１９の取付部３ａの上面と外板２０の室内側との間には特定間隔の隙間２８を設け、該隙間２８の大きさは、指が挟まれても怪我しない最小限の大きさとする。それは、隙間２８が狭すぎると前述のような指詰めが発生し、広すぎるとドア１の気密性の確保が困難となるからである。
【００１７】
従って、このような構成とすることで、戸当たり部１８内に指を入れたままドアパネル２が急に閉まっても、挟まれた指は隙間２８で圧迫されることなく、また、たとえ指先を隙間深くに挿入していたとしても、ドアパネル２側に設けた前記指詰め防止用凹部１２・１２のクッション部２７ｂが、弾性変形して指先分の空間を確保するため、指詰めによる怪我を防止することができるのである。
【００１８】
次に、前記ヒンジ部６、７、８を構成するヒンジ３０ついて、図４により説明する。
ヒンジ３０は、ドアパネル２とドア枠３の間を回動自在に連結するためのものであり、ヒンジ３０のドアパネル支持板３０ａをドアパネル２に固定するために、前記内フレーム２１のヒンジ側に断面視コ字状の外フレーム２３が溶接２３ａにより固定されている。該外フレーム２３の上下長さはヒンジ３０の長さに合わせている。そして、該外フレーム２３の外側は外板２０と内板４０によってカバーされ、該外フレーム２３の内側には座金２９が固定されている。
【００１９】
このようにして、ドアパネル支持板３０ａは複数の取付ボルト２５により外板２０と内板４０と外フレーム２３と座金２９が共締め固設される。該ドアパネル支持板３０ａはヒンジ３０の回動軸部３０ｃから延出されており、該回動軸部３０ｃはドア枠３に固定したヒンジ枢支軸３０ｂに挿入されて回動自在に支持される。
【００２０】
従って、ドアパネル２は、前記ヒンジ枢支軸３０ｂを中心にして図４の矢印方向に回動することができる。さらに、前記取付ボルト２５の頭部は、いずれもドアパネル支持板３０ａに埋め込まれており、該ドアパネル支持板３０ａはドアが閉まった状態ではドア枠３に密着し、ドア１の気密性、遮音性、断熱性などの諸機能を十分発揮する構成となっている。なお、図２に示すように、上下の指詰め防止用凹部１２の始端部、終端部は、プラスチックなどの端部カバー１４乃至１７で被覆し保護している。
【００２１】
また、本発明に係わる指詰め防止機構の別形態について、図６乃至図８により説明する。
ドアパネル２の内板４０はヒンジ支持体５０・５０を取り付ける部分に切り欠いて、それ以外の位置を上下方向に内側へ略直角に折り曲げて、内フレーム２１の側面に固定し、指詰め防止空間３６を形成している。外板２０の内側には前記同様に断面視コ字状に形成した外フレーム２３が固定され、前記同様に、外フレーム２３と折り曲げ部４０ａとの間には軟質弾性体２７が挿入される。
【００２２】
そして、前記ヒンジ支持体５０・５０が内フレーム２１の外側の上下に配置され、該ヒンジ支持体５０は外板２０内に挿入される。該ヒンジ支持体５０は図７に示すように、複数のボルト孔５０ａ、５０ａ・・・がドアパネル支持板３０ａや内フレーム２１のボルト孔の位置に合わせて開口され、該ボルト孔５０ａ、５０ａ・・・が位置するヒンジの中心と反対側に、ボルトを支持するに十分耐えられる厚みで山形の凸部５０ｂ・５０ｂ・５０ｂが設けられ、該凸部５０ｂと凸部５０ｂの間にはＵ字状の凹部５０ｃ・５０ｃが形成される。
このようにして、ヒンジ支持体５０を図８に示すように、外板２０の開口部２０ａと内フレーム２１の外側の間に挿入して、複数の取付ボルト５１・５１・・をドアパネル支持板３０ａのボルト孔、ボルト孔５０ａに挿入して座金２９に螺装して共締め固定している。５２は外板２０の厚さに合わせた座金である。なお、本実施例ではヒンジを二カ所配置しているが、三カ所以上配置することもできる。
このように構成することで、前述の実施例に比べて若干余分な設計変更は必要ではあるが、ヒンジとヒンジの間は空間によって指を詰めることがなく、指が例えヒンジの位置に入ってドアが閉まっても、指は凸部５０ｂに案内されて凹部５０ｃへ押し込まれて、指を詰めることがないのである。
【００２３】
【発明の効果】
本発明は以上のように構成したので、次のような効果を奏する。
すなわち、請求項１の如く、ドアパネルとドア枠とをヒンジにて枢結し、ドアパネルの戸当たり部側のヒンジとヒンジの間に指詰め防止用凹部を設けたので、指がヒンジ側に位置して指をつめることを、耐久性・使用感などを損なうことなく、確実に防止することができる。また、ドア枠は従来のものを使用でき、設計変更の必要がなく、ドアパネルを破損した場合、ドア枠はそのままでドアパネルのみ容易に変更できる。
また、前記指詰め防止用凹部を、ドアパネルの上下端とヒンジ位置を除く部分に設けたので、ヒンジ取付部や外側のパネルは従来のままの構造で、大幅な設計変更の必要がなく、低コストによる製品化が可能となる。
また、前記指詰め防止用凹部をドアパネルの内板の一部を、折り曲げ部として折り曲げて構成したので、加工が簡単に行え、内板の設計変更も最小限で済み、従来の部品および製品の製造技術をそのまま利用することができる。
【００２４】
請求項２の如く、前記指詰め防止用凹部に、容易に変形可能な軟質弾性体を、外フレームの開放側から挿入する支持部と、指詰め防止用凹部を埋めるクッション部とにより構成して付設したので、指詰め防止用凹部から隙間風が入り込んだり、大きな開口部を構成したりすることがなく、また、使い勝手や外観を損ねることなく、指詰め防止用凹部の指が挟まっても凹んで指詰め防止機能を十分に発揮させることができるのである。
【図面の簡単な説明】
【図１】ドアの外側正面図である。
【図２】ドアの内側斜視図である。
【図３】図１のＡ−Ａ断面図である。
【図４】図１のＢ−Ｂ断面図である。
【図５】指詰め防止空間形成状況を示す内側斜視図である。
【図６】ヒンジ支持部の他の実施例を用いたドアの内側斜視図である。
【図７】同じくヒンジ支持体の斜視図である。
【図８】同じくヒンジ取付部の断面図である。
【符号の説明】
２  ドアパネル
３  ドア枠
１２  指詰め防止用凹部
１８  戸当たり部
２７  軟質弾性体
３０  ヒンジ
４０  ドアパネルの内板
【図１】
0003628530.tif 000002
【図２】
0003628530.tif 000003
【図３】
0003628530.tif 000004
【図４】
0003628530.tif 000005
【図５】
0003628530.tif 000006
【図６】
0003628530.tif 000007
【図７】
0003628530.tif 000008
【図８】
0003628530.tif 000009